(57)【特許請求の範囲】
【請求項１】
透明性を有する合成樹脂製の基材(11)の裏面の所定領域に、平坦部(12)と、周辺に該平坦部(12)を残して彫刻状に形成された刻設凹部(13)により図柄(5)を形成し、
前記所定領域の、刻設凹部(13)を除いた平坦部(12)にホットスタンプ法によって転写フィルムに積層されている有色透明な塗膜(31)を転写した転写膜(24)からなる第１の加飾層(21)を形成し、
透明な合成樹脂製のシート(25a)の裏面に蒸着膜(25b)を積層して反射面とした加飾部材(25)を、前記シート(25a)面側を前記第１の加飾層(21)に密着状にして、前記基材(11)の裏面側に積重状に配設したことを特徴とする加飾合成樹脂成形品。
【発明の詳細な説明】
【技術分野】
【０００１】
本発明は彫刻様の図柄を形成した加飾合成樹脂成形品に関する。
【背景技術】
【０００２】
化粧料用向けの製品分野では、パッケージングにより高級感や差別化したアイキャッチ効果を付与するための加飾方法が求められている。
このような加飾方法の一つとして、成形品の表面にホットスタンプ法を用いて箔膜を形成し、金属光沢を有する図案が立体的に現出するような視覚効果を付与する加飾方法がある。また厚肉印刷などにより成形品表面に文字や図柄などを浮かび上がらせ、容器を高級感のある外観に仕上げる加飾方法もある。
【特許文献１】特開２００１−０５８４６３号公報
【発明の開示】
【発明が解決しようとする課題】
【０００３】
しかしながら、従来のホットスタンプ法や厚肉印刷では、立体的な視覚効果が不十分である点や、高品位な質感と云う面でまだ不満足な点がある。
【０００４】
本発明は、成形品に形成された彫刻様の図柄と塗膜や蒸着膜等による表面加飾方法を組み合わせて、より立体的で、高品位な質感を有する視覚効果を現出させるため構成を創出することを課題とするものである。
【課題を解決するための手段】
【０００５】
上記課題を解決するための本発明の加飾合成樹脂成形品に係る主たる構成は、
透明性を有する合成樹脂製の基材の裏面の所定領域に、平坦部と、周辺にこの平坦部を残して彫刻状に形成された刻設凹部により図柄を形成すること、
所定領域の、刻設凹部を除いた平坦部にホットスタンプ法によって転写フィルムに積層されている有色透明な塗膜を転写した転写膜からなる第１の加飾層を形成し、
透明な合成樹脂製のシートの裏面に蒸着膜を積層して反射面とした加飾部材を、シート面側を第１の加飾層に密着状にして、基材の裏面側に積重状に配設すること、にある。
【０００６】
上記構成により、平坦部と刻設凹部により形成される彫刻様の図柄と、刻設凹部を除いた平坦部にだけに選択的に形成される塗膜や蒸着膜からなる加飾層により、透明性を有する基材の光学的な効果も相俟って、図柄をより彫深く、立体的に現出させることができる。
ここで、上記構成中の塗膜には、一般的な塗装方法による膜の他に、印刷によるものも含む。
また第１の加飾層は単一の塗膜あるいは蒸着膜に限定されるものではなく、加飾目的に応じてたとえば蒸着膜に有色透明な塗膜を積層して有色の金属光沢を現出するものとすることもできる。
【０００８】
塗膜は、塗装、印刷、真空蒸着、転写膜を用いて形成することができるが、転写膜とすることにより、図柄が細かくて精細な場合にも刻設凹部を除く平坦部だけに、図柄に沿って高い精度で第１の加飾層を形成することができる。
【０００９】
ここで、転写膜は、転写フィルムに積層されている塗膜がホットスタンプ法や押圧ロール等を用いる方法により成形品の表面に転写されるものであるが、これらの方法は成形品の表面に押圧するようにして塗膜を転写する方法であり、刻設凹部には押圧力が作用しないので塗膜を、特に高精度な位置合わせをすることなく平坦部だけに図柄に沿って高い精度で加飾層を形成することができる。
【００１１】
上記構成によれば、第１の加飾層と第２の加飾層を積層した平坦部と、第２の加飾層だけを積層した刻設凹部で図柄を形成することになるが、これらの積層態様の違いにより平坦部と刻設凹部の色合い、着色濃度、金属光沢、表面性状に係る質感を変化させて、彫刻様の図柄に繊細に陰影を付与したり、金属光沢を微妙に変化させることが可能となり、透明な基材の光学的効果が相俟って、さらに図柄をより彫深く、より立体的に現出させることができると共に、色合い、着色濃度、金属光沢あるいは質感を繊細に変化させて高品位な加飾を実現することができる。
【００１４】
上記構成によれば、基材の裏面側に積重状に配設した加飾部材の反射面からの反射光による光学的効果により、図柄をより立体的に、また複雑に現出させることができる。
なお、上記構成で、加飾部材の基材の裏面側への積重態様は、加飾部材を平坦部に形成された第１の加飾層あるいは第２の加飾層に密着させた態様となる。
【００１５】
また、加飾部材は金属板片、金属薄膜片、表面に蒸着膜等の金属薄膜を形成した合成樹脂成形品等、さまざまな態様で用意することができる。
また、反射面は鏡面状に光を完全に反射させるものだけでなく、一部の光を通過する半反射性とすることもできる。
また反射面は、所定領域全域に積重させることも部分的に積重させることもできる。
【発明の効果】
【００１６】
本発明の加飾合成樹脂成形品は上記のような構成であり、以下に示す効果を奏する。
すなわち、主たる構成を有するものにあっては、平坦部と刻設凹部により形成される彫刻様の図柄と、刻設凹部を除いた平坦部にだけに選択的に形成される塗膜や蒸着膜からなる加飾層により、透明な基材の光学的効果も相俟って、図柄をより彫深く立体的に現出させることができる。
【００１７】
塗膜と蒸着膜を転写膜とするものにあっては、図柄が細かくて精細な場合にも刻設凹部を除く平坦部だけに図柄に沿って高い精度で加飾層を形成することができる。
【００１８】
第２の加飾層を形成するものにあっては、図柄をより彫深くより立体的に現出させることができると共に、色合い、着色濃度、金属光沢あるいは質感を繊細に変化させて高品位な加飾を実現することができる。
【００１９】
基材の裏面側に反射面を配設するものにあっては、この反射面からの反射光による光学的効果により、図柄をより立体的に、また複雑に現出させることができる。
【発明を実施するための最良の形態】
【００２０】
以下、本発明の実施の形態を実施例に沿って図面を参照しながら説明する。
図１、２には本発明の加飾合成樹脂成形品の一実施例である表面処理を施した化粧料用容器１を示す。この化粧料用容器１は合成樹脂成形品で、容器本体２と蓋体３をヒンジ結合した構成である。蓋体３は透明な合成樹脂製であり、裏面に文字を図案化した図柄５が形成されており、透明な基材１１を通して表側からこの図柄５を見えるようにしている。
【００２１】
図３に蓋体３の図柄５近傍の断面図を示す。この蓋体３では、基本的な形状を形成する透明な基材１１の裏面に、周辺に平坦部１２を残して彫刻状に形成された刻設凹部１３により「Ａ」と云う図柄５が形成されている。
【００２２】
そして、裏面の全領域の刻設凹部１３を除く平坦部１２には塗膜３１による第１の加飾層２１が形成され、さらにこの第１の加飾層２１に積層して、平坦部１２と刻設凹部１３を含む全領域に、この平坦部１２と刻設凹部１３に係る凹凸に沿って、蒸着膜３２による第２の加飾層２２が積層している。
ここで、第１の加飾層２１を形成する塗膜３１は、ホットスタンプ法により転写フィルムに積層されている塗膜を転写した転写膜２４であり、第２の加飾層２２を形成する蒸着膜３２は真空蒸着法により形成されたものである。
【００２３】
ここで、一例として第１の加飾層２１を透明有色系の塗膜３１により形成して、この蓋体３を表側から見ると、第２の加飾層２２を形成する蒸着膜３２により刻設凹部１３を含めた全体から金属光沢が現出する中で、図柄５である「Ａ」の部分だけが有色となり、透明な基材１１による光の屈折効果も相俟って、この有色の図柄５である「Ａ」が浮かび上がっているような視覚効果が発揮される。
また、蒸着膜３２による第２の加飾層２２は刻設凹部１３にも形成されているので、蓋体３を横から見た場合にも、刻設凹部１３の金属光沢により立体的効果が効果的に現出する。
【００２４】
また、第１の加飾層２１を形成する塗膜３１は、上記したようにホットスタンプ法による転写膜２４で、基材１１に加熱押圧状に転写したものであり、刻設凹部１３には押圧力が作用しないので、図柄５がさらに繊細な場合にも、特に高精度な位置合わせをすることなく、刻設凹部１３との境界に沿ってずれることなく、平坦部１２だけに高い精度で第１の加飾層を形成することができる。
【００２５】
なお、図３に示すような第１の加飾層２１と第２の加飾層２２からなる加飾層の構成は上記実施例の他にも、加飾の態様をさまざまに構成することができる。
第１の加飾層２１および第２の加飾層２２はそれぞれ、塗膜３１であっても蒸着膜３２であってもよいし、加飾目的に応じてさらにそれぞれを蒸着膜３２と塗膜３１を積層したもの、あるいは２種の塗膜３１を積層したもの等で形成することもできる。
また、第１の加飾層２１と第２の加飾層２２を同色の塗膜で形成して平坦部１２と刻設凹部１３の着色濃度を微妙に変化させることもでき、また同種の蒸着膜３２で形成して蒸着密度を変えて金属光沢を微妙に変化させることもできる。
【００２６】
次に、図４は本発明の加飾合成樹脂成形品の、他の加飾態様を示す縦断面図であり、透明な合成樹脂製の基材１１の裏面の刻設凹部１３を除く平坦部１２に塗膜３１による第１の加飾層２１を形成したものである。
この例は、図３の加飾層の構成が第１の加飾層２１と第２の加飾層２２を組合わせたものに対して、第１の加飾層２１だけから構成されるものではあるが、平坦部１２と刻設凹部１３により形成される彫刻様の図柄と、平坦部にだけに選択的に形成される塗膜３１からなる第１の加飾層２１により、透明性を有する基材１１の光学的な効果も相俟って、彫刻様の図柄を彫深く、より立体的に現出させることができる。
【００２７】
次に、図５（ａ）、（ｂ）は本発明の加飾合成樹脂成形品の、さらに他の加飾態様を示す縦断面図であり、図４の加飾態様に加えて、基材１１の裏面側に反射面を有する薄板状の加飾部材２５を積重した例である。
この加飾部材２５は透明な合成樹脂製のシート２５ａの片面に蒸着膜２５ｂを積層して反射面としたものであり、この反射面からの反射光による光学的効果が相俟って、図柄５をより立体的に現出させることができる。
【００２８】
図５（ａ）の例ではシート加飾部材２５を蒸着膜２５ｂが下になるようにして、第１の加飾層２１に密着状にして基材１１に積重し、反射面と第１の加飾層２１との間にシート２５ａによる透明な隙間を形成し、さらなる光学的効果が発揮されるようにしている。
また、図５（ｂ）は加飾部材２５を蒸着膜２５ｂが上になるようにして、加飾部材２５自体を、基材１１との間に隙間２６を形成した状態で積重した例である。
勿論、図５（ａ）、（ｂ）においてシート２５ａと蒸着膜２５ｂの上下位置は逆にすることもできる。
【００２９】
ここで、反射面を有する加飾部材２５の構成あるいはその積重態様は上記実施例に限定されずさまざまなバリエーションの中から選択することができる。
たとえば、加飾部材は金属板片、金属薄膜片、表面に真空蒸着やホットスタンプによる金属薄膜層を形成した合成樹脂成形品等、さまざまな態様で用意することができる。
また反射面は、鏡面状に光を完全に反射させるものだけでなく一部の光を通過する半反射性とすることもでき、所定領域全域に積重させることも部分的に積重させることもできる。
【００３０】
以上、本発明の加飾合成樹脂成形品について、その実施の形態を実施例に沿って説明したが、本発明の実施の形態は上記実施例に限定されるものではない。
たとえば、図柄は文字「Ａ」のようなものに限るものではなく、さまざまな形状の図案や、模様とすることができる。また基材となる成形品は半透明性のものでも使用することができる。
【００３１】
また、前述したように第１の加飾層や第２の加飾層は、たとえば塗膜＋蒸着膜というように複数の膜で形成することも選択できるので、実施例にある組み合わせに限定されることなく、加飾目的に応じて第１の加飾層と第２の加飾層の組み合わせをさまざまな態様で選択でき、平坦部と刻設凹部との色合いや、質感の変化を多くのバリエーションの中から選択することができる。
【産業上の利用可能性】
【００３２】
以上説明したように、本発明の加飾合成樹脂成形品は、成形品に形成された彫刻様の図柄と、塗装や蒸着等による加飾層を組み合わせて、より立体的で高品位な質感を有する視覚効果を現出させるものであり、化粧料用容器等の分野での幅広い展開が期待される。
【図面の簡単な説明】
【００３３】
【図１】本発明の加飾合成樹脂成形品の一実施例である化粧料用容器の斜視図である。
【図２】図１の化粧料用容器の蓋体を開いた状態の斜視図である。
【図３】図１中のＡ−Ａ線に沿って示す蓋体の図柄近傍の縦断面図である。
【図４】本発明の加飾合成樹脂成形品の他の加飾態様を示す縦断面図である。
【図５】本発明の加飾合成樹脂成形品のさらに他の加飾態様を示す縦断面図である。
【符号の説明】
【００３４】
１  ；化粧料用容器
２  ；容器本体
３  ；蓋体
５  ；図柄
１１；基材
１２；平坦部
１３；刻設凹部
２１；第１の加飾層
２２；第２の加飾層
２４；転写膜
２５；加飾部材
２５ａ；シート
２５ｂ；蒸着膜
２６；隙間
３１；塗膜
３２；蒸着膜
【図１】
0005510765.tif 000002
【図２】
0005510765.tif 000003
【図３】
0005510765.tif 000004
【図４】
0005510765.tif 000005
【図５】
0005510765.tif 000006